(57)【特許請求の範囲】
【請求項１】
縦方向に略平行に設けられた縦水道と、前記縦水道に連通されると共に横方向に略平行に設けられた横水道と、前記横水道の出口に設けられた噴射口と、を備え、前記縦水道に供給された洗浄液を前記横水道を介して前記噴射口からウインドウガラスへ噴射することで前記ウインドウガラスを洗浄するウインドウ・ウォッシャノズルにおいて、
前記縦水道と前記横水道との連通部位に設けられ、前記噴射口の口径より小さな寸法の間隙を有するフィルタ部を備えた、
ことを特徴とするウインドウ・ウォッシャノズル。
【請求項２】
送流方向が縦方向から横方向へ転換される部位で洗浄液が前記フィルタ部を通過する、ことを特徴とする請求項１記載のウインドウ・ウォッシャノズル。
【請求項３】
前記フィルタ部は前記横水道の入口に対し所定の間隙を有して対向状態で設けられた対向壁を有し、前記間隙は、前記噴射口の口径よりも小さな寸法に設定されている、ことを特徴とする請求項１または請求項２記載のウインドウ・ウォッシャノズル。
【請求項４】
前記対向壁の前記横水道入口との対向面以外の部位と前記縦水道の内周面とを接続する接続壁を備えた、ことを特徴とする請求項３記載のウインドウ・ウォッシャノズル。
【請求項５】
縦方向に略平行に形成された縦水道と、前記縦水道に連通されると共に横方向に略平行に形成された横水道と、前記横水道の出口に取り付けられる噴射口と、前記縦水道と前記横水道との連通部位に一体に形成され前記噴射口の口径より小さな寸法の間隙を有するフィルタ部と、を備え、前記縦水道に供給されて前記フィルタ部を通過した液体を前記横水道を介して前記噴射口から噴射するノズルを金型に樹脂を射出して前記縦水道、横水道及びフィルタ部を形成しつつ成形するノズル成形用金型装置において、
前記金型は、
前記ノズルの外形を形成する金型本体と、
前記金型本体内に配置され、前記縦水道を形成する縦ピンと、
前記金型本体内に配置され、前記横水道を形成する横ピンと、
前記縦ピン及び横ピンの何れか一方または両方の先端部に設けられると共に、前記縦ピン及び横ピンが互いに当接配置されてその当接部位に前記フィルタ部を形成するフィルタ形成型部と、
を備えたことを特徴とするノズル成形用金型装置。
【請求項６】
前記縦ピンの周面に複数の前記横ピンを当接配置した、ことを特徴とする請求項５記載のノズル成形用金型装置。
【請求項７】
前記横ピンを前記縦ピンの周面に当接配置すると共に前記金型本体に対し進退可能とした、ことを特徴とする請求項５または請求項６記載のノズル成形用金型装置。
【発明の詳細な説明】
【０００１】
【発明の属する技術分野】
本発明は、洗浄液をウインドウガラスへ噴射するウインドウ・ウォッシャノズル及びウインドウ・ウォッシャノズル等のノズルを成形するノズル成形用金型装置に関する。
【０００２】
【従来の技術】
従来から、自動車にはウインドウガラスを洗浄する目的でボンネット等にウインドウ・ウォッシャノズルが設けられている。
【０００３】
このウインドウ・ウォッシャノズルは、例えばエンジンルーム等に設けられたウォッシャタンクにチューブ等によって接続されており、ウォッシャタンクには洗浄液が充填されている。この洗浄液は、ウォッシャポンプのポンプ作動等によってウインドウ・ウォッシャノズルに送られる。
【０００４】
また、このウインドウ・ウォッシャノズルには水道が設けられると共に、水道の出口には噴射口が設けられており、ウインドウ・ウォッシャノズルに送られた洗浄液が水道を経て噴射口からウインドウガラスへ噴射されることで、ウインドウガラスが洗浄される。
【０００５】
ここで、このウインドウ・ウォッシャノズルでは、噴射口からの洗浄液の噴射圧を向上させてウインドウガラスを良好に洗浄するために、ウインドウ・ウォッシャノズルの噴射口の口径を水道の径より小さくしている。
【０００６】
しかしながら、このようなウインドウ・ウォッシャノズルでは、例えば洗浄液にゴミ等の異物が混入した場合には、噴射口に異物が残存して目詰まりを起こす可能性がある。
【０００７】
また、ウォッシャタンクに洗浄液を充填する際に異物が混入した場合であれば、ウォッシャタンクとチューブとの接続部分に所謂ストレーナーを設けた構成とすることで、噴射口の目詰まりを防止することが可能である。ところが、このような構成としても、ストレーナーの破損等によりチューブ内の洗浄液に異物が混入した場合には、噴射口の目詰まりを防止するための具体的な方策はない。
【０００８】
さらにまた、ウインドウ・ウォッシャノズルは、簡単な構成の金型で成形できることが望まれている。
【０００９】
【発明が解決しようとする課題】
本発明は上記事実を考慮し、洗浄液に異物が混入した場合でも噴射口の目詰まりを防止できるウインドウ・ウォッシャノズル及び簡単な構成の金型でフィルタ部付きノズルを成形できるノズル成形用金型装置を得ることが目的である。
【００１０】
【課題を解決するための手段】
請求項１に記載のウインドウ・ウォッシャノズルは、縦方向に略平行に設けられた縦水道と、前記縦水道に連通されると共に横方向に略平行に設けられた横水道と、前記横水道の出口に設けられた噴射口と、を備え、前記縦水道に供給された洗浄液を前記横水道を介して前記噴射口からウインドウガラスへ噴射することで前記ウインドウガラスを洗浄するウインドウ・ウォッシャノズルにおいて、前記縦水道と前記横水道との連通部位に設けられ、前記噴射口の口径より小さな寸法の間隙を有するフィルタ部を備えた、ことを特徴としている。
【００１１】
請求項１に記載のウインドウ・ウォッシャノズルでは、縦水道に供給されてフィルタ部を通過した洗浄液が横水道を介して噴射口からウインドウガラスへ噴射されることで、ウインドウガラスが洗浄される。
【００１２】
ここで、フィルタ部が噴射口の口径より小さな寸法の間隙を有するため、ウインドウ・ウォッシャノズル（縦水道）に供給される洗浄液に異物が混入した場合でも、噴射口の口径以上の大きさの異物はフィルタ部に通過を阻止されて、噴射口の口径より小さな異物のみが噴射口に到達する。これにより、噴射口に到達する全ての異物が噴射口を通過でき、噴射口の目詰まりを防止できる。
【００１３】
さらに、フィルタ部が縦水道と横水道との連通部位に設けられているため、横水道に至る前にフィルタ部で通過を阻止された異物は、自重で縦水道を降下する。このため、フィルタ部に異物が堆積してフィルタ部が目詰まりしてしまうことが防止される。
【００１４】
請求項２に記載のウインドウ・ウォッシャノズルは、請求項１に記載のウインドウ・ウォッシャノズルにおいて、送流方向が縦方向から横方向へ転換される部位で洗浄液が前記フィルタ部を通過する、ことを特徴としている。
【００１５】
請求項２に記載のウインドウ・ウォッシャノズルでは、送流方向が縦方向から横方向へ転換される部位で洗浄液がフィルタ部を通過するため、フィルタ部を通過する洗浄液の通過圧を比較的小さくすることができる。このため、フィルタ部が良好に異物の通過を阻止することができる。
【００１６】
請求項３に記載のウインドウ・ウォッシャノズルは、請求項１または請求項２に記載のウインドウ・ウォッシャノズルにおいて、前記フィルタ部は前記横水道の入口に対し所定の間隙を有して対向状態で設けられた対向壁を有し、前記間隙は、前記噴射口の口径よりも小さな寸法に設定されている、ことを特徴としている。
【００１７】
請求項３に記載のウインドウ・ウォッシャノズルでは、横水道の入口とこれに対向する対向壁との間隙が噴射口の口径より小さくされることでフィルタ部が構成されている。このため、対向壁を設けるのみでフィルタ部を構成でき、容易にフィルタ部を設けることができる。
【００１８】
請求項４に記載のウインドウ・ウォッシャノズルは、請求項３に記載のウインドウ・ウォッシャノズルにおいて、前記対向壁の前記横水道入口との対向面以外の部位と前記縦水道の内周面とを接続する接続壁を備えた、ことを特徴としている。
【００１９】
請求項４に記載のウインドウ・ウォッシャノズルでは、対向壁の横水道入口との対向面以外の部位と縦水道の内周面とを接続壁によって接続している。このため、対向壁が樹脂成形により縦水道と一体に設けられる場合でも、対向壁が成形時のヒケにより傾いて対向壁と横水道の入口との間隙に大きな寸法の変化が生じることを接続壁によって防止できる。これにより、対向壁と横水道の入口との間隙の寸法の安定を図ることができる。
【００２０】
請求項５に記載のノズル成形用金型装置は、縦方向に略平行に形成された縦水道と、前記縦水道に連通されると共に横方向に略平行に形成された横水道と、前記横水道の出口に取り付けられる噴射口と、前記縦水道と前記横水道との連通部位に一体に形成され前記噴射口の口径より小さな寸法の間隙を有するフィルタ部と、を備え、前記縦水道に供給されて前記フィルタ部を通過した液体を前記横水道を介して前記噴射口から噴射するノズルを金型に樹脂を射出して前記縦水道、横水道及びフィルタ部を形成しつつ成形するノズル成形用金型装置において、前記金型は、前記ノズルの外形を形成する金型本体と、前記金型本体内に配置され、前記縦水道を形成する縦ピンと、前記金型本体内に配置され、前記横水道を形成する横ピンと、前記縦ピン及び横ピンの何れか一方または両方の先端部に設けられると共に、前記縦ピン及び横ピンが互いに当接配置されてその当接部位に前記フィルタ部を形成するフィルタ形成型部と、を備えたことを特徴としいている。
【００２１】
請求項５に記載のノズル成形用金型装置によって成形されるノズルでは、横水道の出口に噴射口が取り付けられることで、縦水道に供給されてフィルタ部を通過した液体が、横水道を介して噴射口から噴射される。
【００２２】
また、フィルタ部が噴射口の口径より小さな寸法の間隙を有するため、ノズル（縦水道）に供給される液体に異物が混入した場合でも、噴射口の口径以上の大きさの異物はフィルタ部に通過を阻止されて、噴射口の口径より小さな異物のみが噴射口に到達する。これにより、噴射口に到達する全ての異物が噴射口を通過でき、噴射口の目詰まりを防止できる。
【００２３】
さらに、フィルタ部が縦水道と横水道との連通部位に形成されているため、横水道に至る前にフィルタ部で通過を阻止された異物は、自重で縦水道を降下する。このため、フィルタ部に異物が堆積してフィルタ部が目詰まりしてしまうことが防止される。
【００２４】
ここで、ノズル成形用金型装置の金型は、ノズルの外形を形成する金型本体内に縦水道を形成する縦ピン及び横水道を形成する横ピンを配置し、かつ、フィルタ部を形成するフィルタ形成型部を縦ピン及び横ピンの何れか一方または両方の先端部に設けて縦ピン及び横ピンが互いに当接配置した構成とされている。これにより、縦水道と横水道との連通部位にフィルタ部を一体形成することができ、簡単な構成の金型でフィルタ部付きノズルを成形できる。
【００２５】
また、縦ピン及び横ピンの何れか一方または両方の先端部にフィルタ形成型部を設けたことだけが従来のノズル成形用金型装置と異なる。このため、縦ピン及び横ピンの何れか一方または両方以外のノズル成形用金型装置の構成部品（金型本体等）を従来のノズル成形用金型装置と共用することができる。
【００２６】
請求項６に記載のノズル成形用金型装置は、請求項５に記載のノズル成形用金型装置において、縦ピンの周面に複数の横ピンを当接配置した、ことを特徴としている。
【００２７】
請求項６に記載のノズル成形用金型装置では、縦ピンの周面に複数の横ピンを当接配置したため、複数の横水道を形成できると共に、縦水道と各横水道との連通部位にフィルタ部を形成することが可能となる。これにより、１つの縦ピンのみで、複数の噴射口が取り付けられるフィルタ部付きノズルを成形可能となる。
【００２８】
請求項７に記載のノズル成形用金型装置は、請求項５または請求項６に記載のノズル成形用金型装置において、前記横ピンを前記縦ピンの周面に当接配置すると共に前記金型本体に対し進退可能とした、ことを特徴としている。
【００２９】
請求項７に記載のノズル成形用金型装置では、縦ピンの周面に当接配置する横ピンを金型本体に対し進退可能としたため、縦ピンを共通としたままで、横ピンの数を異ならせることが可能となると共に、縦水道と横水道との連通部位にフィルタ部を形成することが可能となる。これにより、縦ピンを共通としたままで噴射口の数が異なるフィルタ部付きノズルを成形可能となる。
【００３０】
【発明の実施の形態】
［第１の実施の形態］
図１には、本発明の第１の実施の形態に係るウインドウ・ウォッシャノズル１０の主要部が縦断面図にて示されており、図２には、ウインドウ・ウォッシャノズル１０の主要部が横断面図（図１の２−２線断面図）にて示されている。さらに、図３には、ウインドウ・ウォッシャノズル１０が側面図にて示されている。また、図４には、ウインドウ・ウォッシャノズル１０等が正面図にて示されており、図５には、ウインドウ・ウォッシャノズル１０等が分解斜視図にて示されている。
【００３１】
本実施の形態に係るウインドウ・ウォッシャノズル１０は、下側において略円筒状の円筒部１２を備えている。円筒部１２の周面には一対の取付突起１４が設けられており、各取付突起１４は円筒部１２周面から上方へ向けて略Ｌ字状に突出している。ウインドウ・ウォッシャノズル１０は、この一対の取付突起１４によって自動車のボンネット（図示省略）等に取り付けられている。
【００３２】
円筒部１２の下部には、略Ｌ字状に屈曲された接続管１６が取り付けられており、円筒部１２は、接続管１６及びチューブ（図示省略）等を介してエンジンルーム（図示省略）等に設けられたウォッシャタンク（図示省略）に接続されている。ウォッシャタンク内には液体としての洗浄液が充填されると共に、ウォッシャタンクにはモータによって駆動されるウォッシャポンプが設けられており、ウォッシャポンプのポンプ作動によって洗浄液がチューブ及び接続管１６等を介して円筒部１２内に送られる。
【００３３】
円筒部１２内には、略円柱状のチェックバルブ１８が挿入されており、チェックバルブ１８は、上側の樹脂プレート１８Ａと下側のゴム弁１８Ｂとにより構成されている。チェックバルブ１８は円筒部１２内（後記頭部２２）に係止された圧縮コイルスプリング２０によって接続管１６の出口に圧接されており、これにより、チェックバルブ１８は、接続管１６から円筒部１２内への洗浄液の送流を許可する一方、円筒部１２内の洗浄液が接続管１６へ逆流することを阻止して、チューブ内を常に洗浄液で満たし迅速な洗浄液噴射を行得るようにすると共に、チューブ内の洗浄液が車両の加速度等によって後記噴射口４０から意図せずにタレてしまうことを防止している。
【００３４】
円筒部１２の上側には、略半円錐状の頭部２２が一体に設けられている。頭部２２の中央部分には円柱状の縦水道２４が形成されており、縦水道２４は縦方向（重力方向）に略平行とされている。縦水道２４は円筒部１２内に連通しており、これにより、円筒部１２内へ送流された洗浄液が縦水道２４に供給される。
【００３５】
縦水道２４の上部、すなわち、縦水道２４と後記横水道３２との連通部位４２（縦水道２４と横水道３２とが互いに接続される部位で水道が曲折状態とされる部位）には、フィルタ部２６が一体に形成されている。フィルタ部２６は、半円柱状の対向壁２８及び板状の接続壁３０を備えており、全体として平面視Ｔ字状とされている。対向壁２８の曲面部分は横水道３２の入口３２Ａ全体に対向しており、対向壁２８と横水道３２の入口３２Ａとの間隙４４は、全ての部位において後記噴射口４０の口径Ｗより小さい寸法Ｌに設定されている。また、対向壁２８は縦水道２４の上面２４Ａに接続される一方、接続壁３０は縦水道２４の上面２４Ａ、縦水道２４の内周面及び対向壁２８の横水道３２入口３２Ａとの対向面以外の部位に接続されている。
【００３６】
頭部２２には略円柱状の横水道３２が形成されており、横水道３２は、縦水道２４の上部周面に連通されると共に、僅かに傾斜されて（横方向（水平方向）に略平行とされて）入口３２Ａよりも出口が上方とされている。
【００３７】
横水道３２の入口３２Ａ近傍には、所定数の整流板３４が一体に形成されている。各整流板３４は横水道３２と平行とされており、各整流板３４によって横水道３２内での洗浄液の乱流が整流される。
【００３８】
横水道３２の出口には、球状の保持孔３６が一体に形成されており、保持孔３６の径は横水道３２の径より大きくされると共に、保持孔３６は頭部２２の外部に連通している。
【００３９】
保持孔３６内には、鉄製で球状とされたノズルジェット３８が嵌入されており、上述の如く保持孔３６の径が横水道３２の径より大きくされることで、ノズルジェット３８が横水道３２に入ることが防止されている。ノズルジェット３８には噴射口４０が形成されており、噴射口４０は所定の口径Ｗ（本実施の形態では０．８ｍｍ）とされている。噴射口４０は横水道３２内と連通しており、これにより、縦水道２４に供給されて横水道３２に至る前の連通部位４２でフィルタ部２６を通過した洗浄液が横水道３２を介して噴射口４０からウインドウガラス（図示省略）へ噴射される構成である。
【００４０】
次に、上記ウインドウ・ウォッシャノズル１０を成形するノズル成形用金型装置５０の構成を説明する。
【００４１】
図６には、ノズル成形用金型装置５０の主要部が断面図にて示されている。
【００４２】
ノズル成形用金型装置５０は、金型５２を備えており、上記ウインドウ・ウォッシャノズル１０は、金型５２に樹脂を射出することで成形される。
【００４３】
金型５２は、金型本体５４を備えている。金型本体５４は、円筒部形成型部５６、頭部形成型部５８及び隙間形成型部６０等を有しており、円筒部形成型部５６は、円筒部１２の外形、取付突起１４（先端部を除く）の外側形状及び頭部２２の下面を形成し、頭部形成型部５８は、頭部２２の外形（下面を除く）を形成し、隙間形成型部６０は、円筒部１２と取付突起１４と頭部２２の下面とで形成される隙間及び取付突起１４の先端部を形成する。
【００４４】
円筒部形成型部５６内の下面には円柱状の嵌入凹部（図示省略）及び板状の位置決め凹部（図示省略）が形成されており、嵌入凹部及び位置決め凹部は互いに連通している。
【００４５】
金型本体５４内（円筒部形成型部５６内）には略円柱状のコア６２が配置されており、コア６２は円筒部１２の内部形状を形成する。
【００４６】
金型本体５４内には、略円柱状の縦ピン６４が配置されており、縦ピン６４はコア６２の中心を貫通している。縦ピン６４の下端はコア６２下面より下方へ突出しており、図７に示す如く、縦ピン６４の下端には円柱状の支持台６６が設けられると共に、支持台６６には位置決めピン６８が設けられている。支持台６６は上記嵌入凹部に嵌入されると共に、位置決めピン６８は上記位置決め凹部に嵌入されており、これにより、縦ピン６４が回転位置を位置決めされた状態で円筒部形成型部５６に支持されている。縦ピン６４はコア６２上面より上方へ突出しており、縦ピン６４はこの突出部分によって縦水道２４を形成する。
【００４７】
縦ピン６４の先端部（突端部）にはフィルタ形成型部７０が形成されており、フィルタ形成型部７０は、対向壁２８及び接続壁３０を形成してフィルタ部２６を形成する。
【００４８】
金型本体５４内には、略円柱状の横ピン７２が配置されている。図７に示す如く、横ピン７２の先端は縦ピン６４の外周面に対応した曲面状に凹んだ形状とされることで縦ピン６４のフィルタ形成型部７０に嵌合（当接）しており、これにより、横ピン７２の先端側は横水道３２を形成する。
【００４９】
横ピン７２の先端側には所定数の整流板形成型部７４が形成されており、各整流板形成型部７４は整流板３４を形成する。
【００５０】
横ピン７２の基端側には球状の保持孔形成型部７６が形成されており、保持孔形成型部７６は保持孔３６を形成する。
【００５１】
横ピン７２の基端にはスライド棒７８が一体に設けられており、スライド棒７８は頭部形成型部５８に挿通されている。横ピン７２は、スライド棒７８と共に頭部形成型部５８に対して進退可能とされている。
【００５２】
ここで、ウインドウ・ウォッシャノズル１０成形後は、先ず横ピン７２を頭部形成型部５８に対して後退させた後に頭部形成型部５８を円筒部形成型部５６から取り外し、そしてコア６２に対して円筒部形成型部５６と隙間形成型部６０を移動させ、さらに、円筒部形成型部５６側に設けられた押出ピン（図示省略）によってコア６２からウインドウ・ウォッシャノズル１０を押し出すことで、ウインドウ・ウォッシャノズル１０を金型５２から取り出すことができる構成である。
【００５３】
次に、本実施の形態の作用を説明する。
【００５４】
以上の構成のウインドウ・ウォッシャノズル１０では、縦水道２４に供給されてフィルタ部２６を通過した洗浄液が横水道３２を介して噴射口４０からウインドウガラスへ噴射されることで、ウインドウガラスが洗浄される。
【００５５】
ここで、フィルタ部２６（対向壁２８）と横水道３２の入口３２Ａとの間隙４４が噴射口４０の口径Ｗより小さいため、ウインドウ・ウォッシャノズル１０（縦水道２４）に供給される洗浄液に異物（例えば粉砕樹脂や石等の無機物）が混入した場合でも、噴射口４０の口径Ｗ以上の大きさの異物はフィルタ部２６に通過を阻止されて、噴射口４０の口径Ｗより小さな異物のみが噴射口４０に到達する。これにより、噴射口４０に到達する全ての異物が噴射口４０を通過でき、噴射口４０の目詰まりを防止できる。
【００５６】
さらに、フィルタ部２６が縦水道２４と横水道３２との連通部位４２に設けられているため、横水道３２に至る前にフィルタ部２６で通過を阻止された異物は、自重で縦水道２４を降下する。このため、フィルタ部２６に異物が堆積してフィルタ部２６が目詰まりしてしまうことが防止される。
【００５７】
また、フィルタ部２６が横水道３２の入口３２Ａ付近に設けられて、送流方向が縦方向から横方向へ転換される部位で洗浄液がフィルタ部２６を通過するため、フィルタ部２６を通過する洗浄液の通過圧を比較的小さくすることができる。このため、フィルタ部２６が良好に異物の通過を阻止することができる。
【００５８】
さらにまた、横水道３２の入口３２Ａとこれに対向する対向壁２８との間隙４４が噴射口４０の口径Ｗより小さくされることでフィルタ部２６が構成されている。このため、対向壁２８を設けるのみでフィルタ部２６を構成でき、容易にフィルタ部２６を設けることができる。
【００５９】
さらに、対向壁２８の横水道３２入口３２Ａとの対向面以外の部位と縦水道２４の内周面とを接続壁２８によって接続している。このため、本実施の形態の如く、対向壁２８が樹脂成形により縦水道２４と一体に設けられる場合でも、対向壁２８が成形時のヒケにより傾いて対向壁２８と横水道３２の入口３２Ａとの間隙４４に大きな寸法の変化が生じることを接続壁３０によって防止できる。これにより、対向壁２８と横水道３２の入口３２Ａとの間隙４４の寸法Ｌの安定を図ることができる。さらに、接続壁３０を形成するのは容易であるため、依然として容易にフィルタ部２６を形成することができる。
【００６０】
また、図２に示す如く、縦水道２４の内周面と接続壁３０との間には大きな隙間４６があり、この隙間４６から対向壁２８と横水道３２の入口３２Ａとの間隙４４に洗浄液が侵入し易くなる。これにより、多量の洗浄液を横水道３２を介して噴射口４０から噴射することができる。
【００６１】
またここで、ノズル成形用金型装置５０の金型５２は、ウインドウ・ウォッシャノズル１０の外形を形成する金型本体５４内に縦水道２４を形成する縦ピン６４及び横水道３２を形成する横ピン７２を配置し、かつ、フィルタ部２６を形成するフィルタ形成型部７０を縦ピン６４の先端部に設けて縦ピン６４及び横ピン７２が互いに当接配置した構成とされている。これにより、縦水道２４と横水道３２との連通部位４２にフィルタ部２６を一体形成することができ、簡単な構成の金型５２でフィルタ部２６付きウインドウ・ウォッシャノズル１０を成形できる。
【００６２】
また、縦ピン６４の先端部にフィルタ形成型部７０を設けたことだけが従来のノズル成形用金型装置と異なる。このため、縦ピン６４以外のノズル成形用金型装置５０の構成部品（金型本体５４や横ピン７２等）を従来のノズル成形用金型装置と共用することができる。
【００６３】
さらにここで、縦ピン６４の周面に当接配置する横ピン７２を金型本体５４に対し進退可能としたため、縦ピン６４を共通としたままで、横ピン７２の数を異ならせることが可能となると共に、縦水道２４と横水道３２との連通部位４２にフィルタ部２６を形成することが可能となる。これにより、縦ピン６４を共通としたままで噴射口４０の数が異なる、言い換えれば１つの縦ピン６４に連通する複数の横水道３２を有するフィルタ部２６付きウインドウ・ウォッシャノズル１０を成形可能となる。
【００６４】
次に、本実施の形態の実験例を示す。
【００６５】
（第１実験例）
比較例のウインドウ・ウォッシャノズル（フィルタ部２６がないことだけが本実施の形態のウインドウ・ウォッシャノズル１０と異なるもの）と本実施の形態のウインドウ・ウォッシャノズル１０に洗浄液を１１８ｋｐａの流圧で１０秒間送流した場合の洗浄液の流量を測定した。
【００６６】
また、比較例のウインドウ・ウォッシャノズルにおける縦水道の直径及び本実施の形態のウインドウ・ウォッシャノズル１０における縦水道２４の直径は何れも３ｍｍとされている。
【００６７】
横水道の出口にノズルジェットを取り付けない場合の洗浄液の流量は、従来のウインドウ・ウォッシャノズルでは２３６ｃｃとなり、対向壁２８と横水道３２入口３２Ａとの間隙４４寸法Ｌが０．４６ｍｍとされたウインドウ・ウォッシャノズル１０では２１２ｃｃとなり、前記間隙４４寸法Ｌが０．３ｍｍとされたウインドウ・ウォッシャノズル１０では１９１ｃｃとなり、前記間隙４４寸法Ｌが０．２ｍｍとされたウインドウ・ウォッシャノズル１０では洗浄液の流量が１６４ｃｃとなった。
【００６８】
一方、横水道の出口にノズルジェットを取り付けた場合の洗浄液の流量は、従来のウインドウ・ウォッシャノズルでは１１２ｃｃとなり、対向壁２８と横水道３２入口３２Ａとの間隙４４寸法Ｌが０．４６ｍｍとされたウインドウ・ウォッシャノズル１０では１０９ｃｃとなり、前記間隙４４寸法Ｌが０．３ｍｍとされたウインドウ・ウォッシャノズル１０では１０４ｃｃとなり、前記間隙４４寸法Ｌが０．２ｍｍとされたウインドウ・ウォッシャノズル１０では１００ｃｃとなった。
【００６９】
ここで、ノズルジェット３８の横水道３２への侵入を防止するために、横水道３２の径は保持孔３６の径（ノズルジェット３８の径）より小さくする必要がある。しかし、縦水道２４の径はノズルジェット３８の径に制限されることなく大きくすることができるため、縦水道２４にフィルタ部２６を設けることによって上記測定結果の如く洗浄液の流量を充分に確保することができる。
【００７０】
（第２実験例）
本実施の形態のウインドウ・ウォッシャノズル１０の洗浄液噴射性能を、洗浄液に異物を混入する前と上記第１実験例と同様に洗浄液に異物を混入した後とで比較する実験を行った。洗浄液には、異物として粉砕樹脂や石を幅が０．５ｍｍで長さが１ｍｍのものから幅が１ｍｍで長さが１．５ｍｍのものまでの範囲内で全部で５個混入させた。
【００７１】
ウインドウ・ウォッシャノズル１０による洗浄液の噴射状態（拡散大きさ）及びウインドウ・ウォッシャノズル１０により噴射された洗浄液の到達位置は、洗浄液に異物を混入する前と洗浄液に異物を混入した後とで変化がない。
【００７２】
また、ウインドウ・ウォッシャノズル１０における洗浄液の流量は、洗浄液に異物を混入する前が１０９ｃｃである一方、洗浄液に異物を混入した後が１０２ｃｃとなり、殆ど変化がない。
【００７３】
（変形例）
次に、本実施の形態の変形例を説明する。
【００７４】
図８には、本実施の形態の変形例に係るウインドウ・ウォッシャノズル（図示省略）を成形するノズル成形用金型装置９０の主要部が斜視図にて示されている。
【００７５】
本変形例に係るノズル成形用金型装置９０は、上記実施の形態に係るノズル成形用金型装置５０とほぼ同様の構成であるが以下の点で異なる。
【００７６】
縦ピン６４の先端部には、上記実施の形態と同様のフィルタ形成型部７０が複数（本変形例では２つ）形成されている。また、複数のフィルタ形成型部７０に対応して、金型本体５４内には上記実施の形態と同様の横ピン７２が複数（本変形例では２つ）配置されており、各横ピン７２の先端は縦ピン６４の各フィルタ形成型部７０に嵌合（当接）している。さらに、各横ピン７２の基端に設けられたスライド棒７８は、それぞれ頭部形成型部５８に挿通されている。
【００７７】
このため、本変形例に係るウインドウ・ウォッシャノズル（図示省略）も、上記実施の形態に係るウインドウ・ウォッシャノズル１０とほぼ同様の構成であるが以下の点で異なる。
【００７８】
縦水道２４の上部には、上記実施の形態と同様のフィルタ部２６が一体に複数（本変形例では２つ）形成されている。さらに、複数のフィルタ部２６に対応して頭部２２に上記実施の形態と同様の横水道３２が複数（本変形例では２つ）形成された構成である。
【００７９】
ここで、本変形例に係るウインドウ・ウォッシャノズル及びノズル成形用金型装置９０でも、上記実施の形態と同様の効果を得ることかできる。
【００８０】
さらに、縦ピン６４の周面に複数の横ピン７２を当接配置したため、複数の横水道３２を形成できると共に、縦水道２４と各横水道３２との連通部位４２にフィルタ部２６を形成することができる。これにより、１つの縦ピン６４のみで、複数の噴射口４０が取り付けられるフィルタ部２６付きウインドウ・ウォッシャノズルを成形可能となる。
【００８１】
なお、本変形例では、全ての横水道３２にそれぞれフィルタ部２６を付けた構成としたが、必ずしも全ての横水道３２にフィルタ部２６を付けた構成とする必要はない。すなわち、例えば、１つのフィルタ形成型部７０に対向して縦ピン６４の周面に所定数の横ピン７２を当接配置することで１つのフィルタ部２６で複数の横水道３２のフィルタ機能を共有させる、または、フィルタ部２６を有して既に配置された横ピン７２の周面に他の横ピン７２の先端を嵌合配置させることで横ピン７２を追加した構成としてもよく、これによっても、１つの縦ピン６４のみで、複数の噴射口４０が取り付けられるフィルタ部２６付きウインドウ・ウォッシャノズルを成形可能となる。
【００８２】
また、上記第１の実施の形態及び変形例では、フィルタ部２６の対向壁２８を半円柱状として内周角を１８０°とした構成としたが、フィルタ部の対向壁の内周角は対向壁がフィルタ機能を果たせる限り何度であってもよく、例えば対向壁を円柱状とした構成としてもよい。
【００８３】
［第２の実施の形態］
図９には、本発明の第２の実施の形態に係るウインドウ・ウォッシャノズル１００が破断した斜視図にて示されており、図１０には、ウインドウ・ウォッシャノズル１００を成形するノズル成形用金型装置１０２の主要部が斜視図にて示されている。
【００８４】
本実施の形態に係るウインドウ・ウォッシャノズル１００は、上記第１の実施の形態に係るウインドウ・ウォッシャノズル１０とほぼ同様の構成であるが以下の点で異なる。
【００８５】
縦水道２４の上壁面部（縦ピン６４の突端面にフィルタ形成型部７０を有しない）には対向壁２８及び接続壁３０が設けられておらず、縦水道２４と横水道３２との連通部分（境界部分）に略円盤状のフィルタ部１０４が一体に形成されている。フィルタ部１０４には、長方形状のフィルタ孔１０６が所定数形成されており、各フィルタ孔１０６は縦方向を長手方向としている。各フィルタ孔１０６の間隙（幅）は、全ての部位において噴射口４０の口径Ｗより小さくされている。
【００８６】
一方、ノズル成形用金型装置１０２も、上記第１の実施の形態に係るノズル成形用金型装置５０とほぼ同様の構成であるが以下の点で異なる。
【００８７】
縦ピン６４の先端部には第１の実施の形態のフィルタ形成型部７０が形成されておらず、縦ピン６４の先端部周面に平面状の平面部１０８が形成されている。また、横ピン７２の先端にはフィルタ形成型部１１０が形成されており、フィルタ形成型部１１０は縦方向に長い四角柱状のフィルタ形成柱１１２を所定数有している。フィルタ形成型部１１０は縦ピン６４の平面部１０８に嵌合（当接）しており、これにより、フィルタ形成型部１１０の所定数のフィルタ形成柱１１２が所定数のフィルタ孔１０６を形成してフィルタ部１０４を形成する。
【００８８】
ここで、本実施の形態に係るウインドウ・ウォッシャノズル１００及びノズル成形用金型装置１０２でも、上記第１の実施の形態と同様の効果を得ることかできる。
【００８９】
なお、本実施の形態では、１つの横ピン７２により１つの横水道３２を形成した構成としたが、複数の横ピン７２により複数の横水道３２を形成した構成としてもよい。この場合、縦ピン６４の先端部周面に平面部１０８を複数形成して各横ピン７２のフィルタ形成型部１１０を各平面部１０８に嵌合（当接）させるか、あるいは、縦ピン６４の先端部周面の１つの平面部１０８に横ピン７２のフィルタ形成型部１１０を嵌合（当接）させると共に既に配置された横ピン７２の周面に他の横ピン７２（必ずしもフィルタ形成型部１１０が設けられている必要はない）の先端を嵌合配置させることで横ピン７２を追加すればよい。これにより、上記第１の実施の形態の変形例と同様の効果を得ることができる。
【００９０】
また、本実施の形態では、フィルタ部１０４のフィルタ孔１０６を縦方向に長い形状とした構成としたが、フィルタ部のフィルタ孔の長手方向は何れの方向としてもよく、このようなフィルタ部の構成変更は、フィルタ形成型部のフィルタ形成柱の長手方向を変更することで実現できる。
【００９１】
さらに、本実施の形態では、フィルタ部１０４のフィルタ孔１０６を長方形状とした構成としたが、これに限らず、フィルタ部のフィルタ孔は何れの形状（例えば円状や多角形状）であってもよく、この構成は、フィルタ形成型部の各フィルタ形成柱の形状を変更することで実現できる。
【００９２】
［第３の実施の形態］
図１１には、本発明の第３の実施の形態に係るウインドウ・ウォッシャノズル１５０が破断した斜視図にて示されており、図１２には、ウインドウ・ウォッシャノズル１５０を成形するノズル成形用金型装置１５２の主要部が斜視図にて示されている。
【００９３】
本実施の形態に係るウインドウ・ウォッシャノズル１５０は、上記第１の実施の形態に係るウインドウ・ウォッシャノズル１０とほぼ同様の構成であるが以下の点で異なる。
【００９４】
縦水道２４の上部には、対向壁２８及び接続壁３０が設けられておらず、縦水道２４と横水道３２との連通部分（境界部分）に略円盤状のフィルタ部１５４が一体に形成されている。フィルタ部１５４には、四角形状のフィルタ孔１５６が所定数形成されており、各フィルタ孔１５６の間隙（径）は、全ての部位において噴射口４０の口径Ｗより小さくされている。また、横水道３２は、略四角柱状とされて、縦水道２４の上面に連通されている。
【００９５】
一方、ノズル成形用金型装置１５２も、上記第１の実施の形態に係るノズル成形用金型装置５０とほぼ同様の構成であるが以下の点で異なる。
【００９６】
縦ピン６４の先端部には第１の実施の形態のフィルタ形成型部７０が形成されておらず、縦ピン６４の先端面（上面）にフィルタ形成型部１５８が形成されている。フィルタ形成型部１５８は四角柱状のフィルタ形成柱１６０を所定数有している。また、横水道３２を形成する横ピン７２の先端側は略四角柱状とされており、横ピン７２の先端下面は水平に切り欠かれて水平面１６２が形成されている。フィルタ形成型部１５８は横ピン７２の水平面１６２に嵌合（当接）しており、これにより、フィルタ形成型部１５８の所定数のフィルタ形成柱１６０が所定数のフィルタ孔１５６を形成してフィルタ部１５４を形成する。
【００９７】
ここで、本実施の形態に係るウインドウ・ウォッシャノズル１５０及びノズル成形用金型装置１５２でも、上記第１の実施の形態と同様の効果を得ることかできる。
【００９８】
なお、本実施の形態では、１つの横ピン７２により１つの横水道３２を形成した構成としたが、複数の横ピン７２により複数の横水道３２を形成した構成としてもよい。この場合、１つの横ピン７２のみに水平面１６２を形成して水平面１６２をフィルタ形成型部１５８に嵌合配置しかつ既に配置されたその横ピン７２の周面に他の横ピン７２の先端を嵌合配置させればよい。これにより、上記第１の実施の形態の変形例と同様の効果を得ることができる。
【００９９】
さらに、本実施の形態では、フィルタ部１５４のフィルタ孔１５６を四角形状とした構成としたが、これに限らず、フィルタ部のフィルタ孔は何れの形状（例えば円状や多角形状）であってもよく、この構成は、フィルタ形成型部の各フィルタ形成柱の形状を変更することで実現できる。
【図面の簡単な説明】
【図１】本発明の第１の実施の形態に係るウインドウ・ウォッシャノズルの主要部を示す縦断面図である。
【図２】本発明の第１の実施の形態に係るウインドウ・ウォッシャノズルの主要部を示す横断面図（図１の２−２線断面図）である。
【図３】本発明の第１の実施の形態に係るウインドウ・ウォッシャノズルを示す側面図である。
【図４】本発明の第１の実施の形態に係るウインドウ・ウォッシャノズル及び接続管を示す正面図である。
【図５】本発明の第１の実施の形態に係るウインドウ・ウォッシャノズル、チェックバルブ及び接続管等を示す分解斜視図である。
【図６】本発明の第１の実施の形態に係るノズル成形用金型装置の主要部を示す断面図である。
【図７】本発明の第１の実施の形態に係るノズル成形用金型装置の縦ピン及び横ピンを示す斜視図である。
【図８】本発明の第１の実施の形態の変形例に係るノズル成形用金型装置の縦ピン及び横ピンを示す斜視図である。
【図９】本発明の第２の実施の形態に係るウインドウ・ウォッシャノズルを示す破断した斜視図である。
【図１０】本発明の第２の実施の形態に係るノズル成形用金型装置の縦ピン及び横ピンを示す斜視図である。
【図１１】本発明の第３の実施の形態に係るウインドウ・ウォッシャノズルを示す破断した斜視図である。
【図１２】本発明の第３の実施の形態に係るノズル成形用金型装置の縦ピン及び横ピンを示す斜視図である。
【符号の説明】
１０    ウインドウ・ウォッシャノズル
２４    縦水道
２６    フィルタ部
２８    対向壁
３０    接続壁
３２    横水道
３２Ａ  入口
４０    噴射口
４２    連通部位
４４    間隙
５０    ノズル成形用金型装置
５２    金型
５４    金型本体
６４    縦ピン
７０    フィルタ形成型部
７２    横ピン
９０    ノズル成形用金型装置
１００    ウインドウ・ウォッシャノズル
１０２    ノズル成形用金型装置
１０４    フィルタ部
１１０    フィルタ形成型部
１５０    ウインドウ・ウォッシャノズル
１５２    ノズル成形用金型装置
１５４    フィルタ部
１５８    フィルタ形成型部
Ｗ    口径
【図１】
0003768116.tif 000002
【図２】
0003768116.tif 000003
【図３】
0003768116.tif 000004
【図４】
0003768116.tif 000005
【図５】
0003768116.tif 000006
【図６】
0003768116.tif 000007
【図７】
0003768116.tif 000008
【図８】
0003768116.tif 000009
【図９】
0003768116.tif 000010
【図１０】
0003768116.tif 000011
【図１１】
0003768116.tif 000012
【図１２】
0003768116.tif 000013